(57)【要約】【課題】デバイスの通信モードの状態やモード切替えをユーザが意識することなく、ユーザの意図する通信モードにホストから自動的に切替可能にする。【解決手段】この情報送受信システムは、ホストとこれに接続されるデバイスとから構成される。前記デバイスは通信方式の異なる複数の通信モードを有し、設定された通信モードで動作する。前記ホストは、デバイスの現在の通信モードとユーザ希望の通信モードとを検知する。ユーザ希望の通信モードは、ホスト又はデバイスでのアクションから検知される（ステップＳ２０）。そして、ホストは、デバイスの現在の通信モードとユーザ希望の通信モードとが一致していないと判別すると（ステップＳ２４）、デバイスの現在の通信モードを希望の通信モードに切り替えるための切替コマンドを送信し、バスリセット、コンフィグレーションのやり直しを行い、これを受けたデバイスは、現在の通信モードを希望の通信モードに切り替えるプロトコル変換を行う（ステップＳ２８〜Ｓ３４）。【選択図】          図４
2004310400.tif 000002
【特許請求の範囲】
【請求項１】
ホストに情報を受け渡すための通信方式が異なる複数の通信モードを有する通信手段と、前記複数の通信モードを自動的に切り替える自動モード切替手段とを有するデバイスと、
デバイスが接続され、デバイスとの間でコマンド通信して情報の受け渡しを行うホストであって、接続されたデバイスの現在の通信モードを取得するモード取得手段と、ホスト又はデバイスでのアクションに応じて該デバイスで設定されるべきユーザ希望の通信モードを検知するモード検知手段と、接続されたデバイスの通信モードの切り替えを制御するモード切替制御手段とを有するホストと、からなり、
前記ホストのモード切替制御手段は、前記モード取得手段により取得したデバイスの現在の通信モードと前記モード検知手段により検知した希望の通信モードとが不一致のときに、前記デバイスの現在の通信モードを前記希望の通信モードに切り替えるための切替コマンドを送信し、
前記デバイスの自動モード切替手段は、前記ホストから前記切替コマンドを受信すると、現在の通信モードを前記希望の通信モードに切り替えることを特徴とする情報送受信システム。
【請求項２】
前記複数の通信モードには、各通信モードを識別するためのモード識別情報が付与されており、
前記モード取得手段は、接続されたデバイスの現在の通信モードのモード識別情報とともに、該デバイスがサポート可能な通信モードのモード識別情報を取得し、
前記モード切替制御手段は、前記モード取得手段により取得したデバイスがサポート可能な通信モードのモード識別情報とホストがサポート可能な通信モードのモード識別情報との共通のモード識別情報の中に前記希望の通信モードのモード識別情報が含まれるときのみ、前記希望の通信モードに切り替えるための切替コマンドを送信することを特徴とする請求項１の情報送受信システム。
【請求項３】
前記ホスト又はデバイスで必ず発生するアクションであって、各通信モードでそれぞれ重複しないアクションが発生する通信モードを前記希望の通信モードとして予め登録し、前記モード検知手段は、ホスト又はデバイスで発生したアクションに基づいて該アクションに関連付けられた前記希望の通信モードを検知することを特徴とする請求項１の情報送受信システム。
【請求項４】
前記デバイスはデジタルカメラ、スキャナー及び複写機のうちのいずれかであり、前記ホストは、パーソナルコンピュータ、プリンタ及びサーバのうちのいずれかである請求項１の情報送受信システム。
【請求項５】
前記複数の通信モードは、マスストレージモード、ＰＴＰモード、及びＰＣカメラモードのうちの２以上の通信モードを含むことを特徴とする請求項４の情報送受信システム。
【発明の詳細な説明】
【０００１】
【発明の属する技術分野】
本発明は情報送受信システムに係り、特にパーソナルコンピュータ等のホストに接続されるデジタルカメラ等のデバイスの通信モードを自動的に切り替える技術に関する。
【０００２】
【従来の技術】
従来、デジタルカメラに撮影モードと再生モードとを切り替えるモード切替スイッチを設け、デジタルカメラ内の画像データに基づく画像の印刷を行う場合には、前記モード切替スイッチによってデジタルカメラを再生モードに設定するとともに、デジタルカメラにプリンタを接続する。そして、プリンタからデジタルカメラに画像データの転送を指示し、転送された画像データに基づいて印刷枚数等の表示用文字データや印刷用画像データを生成するプリンタが提案されている（特許文献１）。
【０００３】
また、静止画撮影モード、再生モード、動画撮影モード等を備えたデジタルカメラにおいて、該デジタルカメラにパーソナルコンピュータが接続されると、その接続に連動して他のモードから動画撮影モード（ＰＣカメラモード）に切り替えるデジタルカメラが提案されている（特許文献２）。
【０００４】
更に、従来のデジタルカメラには、パーソナルコンピュータ（ＰＣ）との間で通信する際の通信モードとして、マスストレージモードとＰＴＰ（Ｐｉｃｔｕｒｅ  Ｔｒａｎｓｆｅｒ  Ｐｒｏｔｏｃｏｌ）  モードとを有し、これらのモードをカメラのセットアップメニュー画面でユーザが選択できるデジタルカメラがある。このデジタルカメラの場合、カメラの通信モードがマスストレージモードにセットされると、ＰＣからはマスストレージデバイス（外部記録媒体）として認識され、ＰＴＰモードに設定されると、カメラによって転送する画像を選択し、カメラに設けられた転送ボタンを押すことで前記選択した画像をパソコン等に送信することができる。
【０００５】
【特許文献１】
特開平１０−１０７９８１号公報
【０００６】
【特許文献２】
特開２００２−２３２７６９号公報
【０００７】
【発明が解決しようとする課題】
ところで、特許文献１に記載のプリンタは、デジタルカメラから画像データを取り込む場合には、ユーザが手動でモード切替スイッチを操作してデジタルカメラを再生モードに設定する必要がある。
【０００８】
また、特許文献２に記載のデジタルカメラは、ＰＣが接続されると無条件でＰＣカメラモードに切り替わる仕様になっており、ユーザがＰＣ上でＰＣカメラモードとは異なる用途でカメラを動作させたい時に、ユーザの意図に沿った動作をさせることができないという問題がある。
【０００９】
一方、マスストレージモードとＰＴＰモードとを有するデジタルカメラをＰＣやプリンタ等のホストに接続し、カメラの画像転送ボタンを押して所望の画像をホストに転送する場合には、セットアップメニューを用いてカメラの通信モードを手動でＰＴＰモードに設定する必要があるが、この場合には、カメラの通信モードをＰＴＰモードに設定するのを忘れたり、間違ってしまう確率が高く、また、セットアップメニューを用いてカメラの通信モードを設定する必要があることから通信モードの切替えに手間がかかるという問題がある。
【００１０】
本発明はこのような事情に鑑みてなされたもので、デジタルカメラ等のデバイスの通信モードの状態やモード切替えをユーザが意識することなく、デバイスのモード切替えをホストが自動で行うことができ、これによりユーザが面倒なデバイスのモード切替操作をすることなく、ユーザの意図するモードに自動的に切り替えることができる情報送受信システムを提供することを目的とする。
【００１１】
【課題を解決するための手段】
前記目的を達成するために請求項１に係る情報送受信システムは、ホストに情報を受け渡すための通信方式が異なる複数の通信モードを有する通信手段と、前記複数の通信モードを自動的に切り替える自動モード切替手段とを有するデバイスと、デバイスが接続され、デバイスとの間でコマンド通信して情報の受け渡しを行うホストであって、接続されたデバイスの現在の通信モードを取得するモード取得手段と、ホスト又はデバイスでのアクションに応じて該デバイスで設定されるべきユーザ希望の通信モードを検知するモード検知手段と、接続されたデバイスの通信モードの切り替えを制御するモード切替制御手段とを有するホストと、からなり、前記ホストのモード切替制御手段は、前記モード取得手段により取得したデバイスの現在の通信モードと前記モード検知手段により検知した希望の通信モードとが不一致のときに、前記デバイスの現在の通信モードを前記希望の通信モードに切り替えるための切替コマンドを送信し、前記デバイスの自動モード切替手段は、前記ホストから前記切替コマンドを受信すると、現在の通信モードを前記希望の通信モードに切り替えることを特徴としている。
【００１２】
請求項１に係る情報送受信システムは、ホストとデバイスとから構成され、ホストとデバイスとが有線又は無線によって接続され、所定のプロトコルにてデータ通信できるようになっている。
【００１３】
前記デバイスは通信方式の異なる複数の通信モードのうちの設定された通信モードで動作するが、ユーザが希望する通信モードになっていない場合がある。ホストの自動モード切替制御手段は、デバイスの現在の通信モードがユーザ希望の通信モードになっていない場合には、デバイスの現在の通信モードを希望の通信モードに切り替えるための切替コマンドを送信する。前記デバイスは、ホストの自動モード切替制御手段から切替コマンドを受信すると、現在の通信モードを前記希望の通信モードに切り替える。
【００１４】
尚、ユーザ希望の通信モードは、ホスト又はデバイスでのアクションから検知される。これにより、ユーザが面倒なデバイスのモード切替操作をすることなく、現在の通信モードがユーザ希望の通信モードでない場合には、ホスト又はデバイスでのアクションに基づきユーザの意図するモードに自動的に切り替わる。
【００１５】
請求項２に示すように、請求項１の情報送受信システムにおいて、前記複数の通信モードには、各通信モードを識別するためのモード識別情報が付与されており、前記モード取得手段は、接続されたデバイスの現在の通信モードのモード識別情報とともに、該デバイスがサポート可能な通信モードのモード識別情報を取得し、前記モード切替制御手段は、前記モード取得手段により取得したデバイスがサポート可能な通信モードのモード識別情報とホストがサポート可能な通信モードのモード識別情報との共通のモード識別情報の中に前記希望の通信モードのモード識別情報が含まれるときのみ、前記希望の通信モードに切り替えるための切替コマンドを送信することを特徴としている。
【００１６】
即ち、デバイスがサポート可能な通信モードと、ホストがサポート可能な通信モードとが完全一致していない場合があるため、ホストは、両者が共通にサポートしている通信モードを検知し、この共通にサポートしている通信モードの範囲内でモードの自動切替えを可能にしている。
【００１７】
請求項３に示すように、請求項１の情報送受信システムにおいて、前記ホスト又はデバイスで必ず発生するアクションであって、各通信モードでそれぞれ重複しないアクションが発生する通信モードを前記希望の通信モードとして予め登録し、前記モード検知手段は、ホスト又はデバイスで発生したアクションに基づいて該アクションに関連付けられた前記希望の通信モードを検知することを特徴としている。例えば、デバイス上で画像を選択するとともに転送ボタンを押すことで、ホストに対して画像取込みのコマンドを送信して前記選択した画像を送信する通信モード（ＰＴＰモード）にデバイスのモードが設定されていない場合に、上記転送ボタンが操作されると、この転送ボタンの操作（アクション）からユーザ希望の通信モードを検知する。
【００１８】
請求項４に示すように、請求項１の情報送受信システムにおいて、前記デバイスはデジタルカメラ、スキャナー及び複写機のうちのいずれかであり、前記ホストは、パーソナルコンピュータ、プリンタ及びサーバのうちのいずれかである。
【００１９】
請求項５に示すように、請求項４の情報送受信システムにおいて、前記複数の通信モードは、マスストレージモード、ＰＴＰモード、及びＰＣカメラモードのうちの２以上の通信モードを含むことを特徴としている。
【００２０】
【発明の実施の形態】
以下添付図面に従って本発明に係る情報送受信システムの好ましい実施の形態について詳説する。
【００２１】
図１は本発明に係る情報送受信システムの実施の形態を示す概略構成図であり、同図に示す情報送受信システムは、デバイスとしてのデジタルカメラ１００と、ホストとしてのパーソナルコンピュータ（ＰＣ）２００とから構成されている。
【００２２】
デジタルカメラ１００には、電源スイッチ１０２と、シャッタボタン１０４と、撮影モード、再生モード等の各種のモードを設定するためのモードダイヤル１０６と、ズーム操作、再生時におけるコマ送り、メニューの選択等に使用されるマルチファンクションの上下左右の十字キー１０８と、操作を取り消したり、前の状態に戻すための「戻る」ボタン１１０と、メニュー画面を表示させたり、メニュー画面上で十字キー１０８の操作によって選択したメニューを実行させるための「メニュー／実行」ボタン１１２と、液晶モニタ１１４と、選択した画像をホストに転送させるための転送ボタン１１６とが設けられている。
【００２３】
また、ＰＣ２００は、ＰＣ本体２１０にモニタ装置２３０、キーボード２４０、マウス２５０等の周辺機器が接続されて構成されている。
【００２４】
上記デジタルカメラ１００とＰＣ２００とは、それぞれＵＳＢケーブル３００によって接続できるようになっており、デジタルカメラ１００は、画像を選択して転送ボタン１１６を押すことにより、その画像をＰＣ２００に転送するためのＰＴＰ（Ｐｉｃｔｕｒｅ  Ｔｒａｎｓｆｅｒ  Ｐｒｏｔｏｃｏｌ）  モードと、ホストにデジタルカメラ１００をマスストレージデバイスとして認識させ、ホストよりデジタルカメラ１００内の記録メディアへの画像の読み書きを行うマスストレージモードと、テレビ会議用のＰＣカメラとして機能するＰＣカメラモードとを有している。これらのＰＴＰモード、マスストレージモード、及びＰＣカメラモードはそれぞれ通信方式が異なり、それぞれ異なるプロトコルでデータ通信が行われる。
【００２５】
また、ＰＣ２００は、上記ＰＴＰモード、マスストレージモード、及びＰＣカメラモードの通信モードをサポートしているものとし、ＰＣ２００に接続されたデジタルカメラ１００の通信モードを、ユーザ希望の通信モードに自動的に切り替えることができるようになっているが、その詳細については後述する。
【００２６】
図２は上記デジタルカメラ１００の内部構成を示すブロック図である。
【００２７】
同図に示すように、このデジタルカメラ１００の撮像系として、被写体の像を受光面に結像させて光電変換し、画像信号として出力する撮像部１２０と、ホワイトバランス補正、ガンマ補正等の処理を行う信号処理部１２２と、アナログの画像信号をデジタルの画像データに変換するＡ／Ｄ変換器１２４とが設けられている。
【００２８】
また、デジタルカメラ１００の入力系として、図１に示した電源スイッチ１０２、シャッタボタン１０４、モードダイヤル１０６、十字キー１０８、「戻る」ボタン１１０、「メニュー／実行」ボタン１１２、転送ボタン１１６等を含む操作部１２６と、この操作部１２６で入力した各々の情報の信号を変換するポートであるＩ／Ｏ１２８とが設けられている。
【００２９】
デジタルカメラ１００の画像変換系として、画像データをＪＰＥＧに代表される手法で圧縮制御したり、圧縮したデータを伸張展開制御する処理を行う圧縮伸長部１３０と、画像データを着脱可能なメモリカード１３２にカードスロット１３４を介して記録したり読み出したりするためにデータを変換するカードインターフェース１３６とが設けられている。
【００３０】
デジタルカメラ１００の表示系として、液晶モニタ１１４と、画像等を液晶モニタ１１４に表示するための信号に変換するＤ／Ａ変換器１４０と、表示する画像や情報を一時記憶するためのＶＲＡＭ等で構成されているフレームメモリ１４２と、文字やアイコン等をオンスクリーンディスプレイするＯＳＤ１４４とが設けられている。
【００３１】
デジタルカメラ１００の通信手段としては、ＵＳＢケーブル３００と接続されるＵＳＢコネクタ１４６と、このＵＳＢコネクタ１４６を介して接続される外部機器との間で画像データを含むデータの双方向通信を行うためのＵＳＢインターフェース１４８とが設けられている。尚、このデジタルカメラ１００はホストとＵＳＢ接続されると、自動的に通信モードとなる。尚、このときのデジタルカメラ１００の通信モードは、最後にホストとデータ通信した通信モード、又はその後、ユーザがマニュアルで適宜設定した通信モードとなっている。
【００３２】
デジタルカメラ１００のコントロール部として、デジタルカメラ全体の制御を行うとともに、画像信号のサンプリング制御、画像の記録制御、通信制御、表示制御等の制御を行う中央処理装置（ＣＰＵ）１５０と、本発明に係るモード切替処理を含む各種の動作プログラムや各定数が記憶されているＲＯＭと、プログラム実行時の作業領域となるとともに、画像を記録することが可能なＲＡＭにより構成されているシステムメモリ１５２と、デジタルカメラ１００の動作に関する各種定数や情報を記憶する不揮発性メモリ１５４とが設けられている。
【００３３】
図３はＰＣ２００の内部構成を示すブロック図である。
【００３４】
同図に示すように、このＰＣ２００は、主として各構成要素の動作を制御する中央処理装置（ＣＰＵ）２１２と、装置の制御プログラムが格納されたり、プログラム実行時の作業領域となる主メモリ２１４と、ＰＣ２００のオペレーティングシステム（ＯＳ）、ＰＣ２００に接続された周辺機器のデバイスドライバ、本発明に係るモード自動切替プログラムを含む各種のアプリケーションソフト、ユーザの画像等が格納されるハードディスク装置２１６と、ＣＤ−ＲＯＭドライブ２１８と、表示用データを一時記憶する表示メモリ２２０と、この表示メモリ２２０からの画像データ、文字データ等により画像や文字等を表示するＣＲＴモニタや液晶モニタ等のモニタ装置２３０と、キーボード２４０と、位置入力装置としてのマウス２５０と、マウス２５０の状態を検出してモニタ装置２３０上のマウスポインタの位置やマウス２５０の状態等の信号をＣＰＵ２１２に出力するマウスコントローラ２６０と、デジタルカメラ１００と接続して画像データ等の入力が可能なＵＳＢ（Ｕｎｉｖｅｒｓａｌ  Ｓｅｒｉａｌ  Ｂｕｓ）などのインターフェース２７０と、上記各構成要素を接続するバス２８０とから構成されている。
【００３５】
尚、上記構成のＰＣ２００は、ハードディスク装置２１６に格納されている、デジタルカメラ１００の通信モードを自動的に切り替えるためのモード自動切替プログラムを除いて周知のものであるため、各構成要素の詳細な説明については省略する。
【００３６】
次に、上記モード自動切替プログラムに基づくデジタルカメラ１００の通信モードの自動切替方法について、図４に示すフローチャートを参照しながら説明する。
【００３７】
ＰＣ２００（以下、単に「ホスト」という）は、デジタルカメラ１００（以下単に「デバイス」という）が接続されると、デバイスからそのデバイスがサポート可能な通信モード示すモードＩＤを取得する（ステップＳ１０）。
【００３８】
このモードＩＤは、各通信モード固有の識別情報であり、デバイスは、例えば、以下に示すようにモード毎のＩＤナンバーと、そのモードがサポートできる画像タイプを情報としてもっており、ホストからの要求に応じてモードＩＤを送信する。
・ＰＴＰモード        ：ＩＤ＝００００，サポートタイプ：静止画
・マスストレージモード：ＩＤ＝０００１，サポートタイプ：静止画，動画
・ＰＣカメラモード    ：ＩＤ＝０００２，サポートタイプ：動画
ホストは、デバイスからモードＩＤを取り込むと、続いてホストとデバイスとに共通してサポートされている通信モードのモードＩＤを取得する（ステップＳ１２）。例えば、ホストがＰＴＰモード、マスストレージモード及びＰＣカメラモードをサポートし、デバイスがＰＴＰモード及びマスストレージモードをサポートしている場合には、ホスト・デバイスに共通のモードＩＤは、ＩＤ＝００００，０００１の２つである。
【００３９】
ホストは、ホスト・デバイスに共通のモードＩＤがあるか否かを判別し、共通のモードＩＤがない場合には、ステップＳ１６に進み、共通のモードＩＤがある場合には、ステップＳ１８に進む（ステップＳ１４）。
【００４０】
ホストは、ステップＳ１６に進むと、例えば“接続できません”  というエラーメッセージをホストのモニタ装置２３０又はデバイスの液晶モニタ１１４に表示させ、デバイスとデータ通信するための接続ができないことをユーザに報知し、一方、ステップＳ１８に進むと、デバイスの現在の通信モードのモードＩＤを取得する。
【００４１】
デバイスの現在の通信モードのモードＩＤを取得した後、ホストは、ホスト又はデバイスで特定のアクションが起こるのを待つ（ステップＳ２０）。
【００４２】
ここで、各通信モードと特定のアクションとの関係について説明する。
【００４３】
特定のアクションは、各モードで必ず起こるアクションで、かつそのモードでしか起こらないアクションであり、予め各モードごとに決められており、ホストは、例えば、以下に示すように各モードと特定のアクションとの関係を情報として持っている。
・ＰＴＰモード（ＩＤ＝００００）        ：デバイスで転送ボタンが押される
・マスストレージモード（ＩＤ＝０００１）：画像表示アプリケーションの起動
・ＰＣカメラモード（ＩＤ＝０００２）    ：ビデオ会議アプリケーションの起動
例えば、ユーザは、ＰＴＰモードで画像を転送する場合には、モードダイヤル１０６によりデジタルカメラ１００を再生モードに設定し、転送したい画像を十字キー１０８の左右キーを操作して液晶モニタ１１４に表示させる。そして、デジタルカメラ１００とＰＣ２００とをＵＳＢケーブル３００によって接続し、転送ボタン１１６を押すことになる。即ち、ユーザがＰＴＰモードで画像を転送しようとする場合には、必ずデバイス側で転送ボタンが押され、ホスト側はデバイス側で転送ボタンが押された場合には、ユーザはＰＴＰモードを希望していると判断する。
【００４４】
尚、各モードと特定のアクションとの関係は、上記の例に限らず、例えば、マルチウインドウ環境のＰＣの場合、上記アプリケーションの起動の代わりに、非アクティブウインドウからアクティブウインドウにしたときでもよく、要はユーザがいずれのモードを希望しているかをユーザ操作に関連して検知可能なアクションであれば、いかなるアクションでもよい。
【００４５】
また、ステップＳ２０でアクションの有無が判別される特定のアクションは、ホスト・デバイスの共通モードＩＤに関連するアクションのみである。例えば、ＰＣカメラモードを有さないデバイスの場合に、ホスト側でビデオ会議アプリケーションを起動しても、ステップＳ２０では特定のアクションが起きたとは判別されない。
【００４６】
次に、ステップＳ２０で特定のアクションがあったことが判別されると、そのアクションに対応したモードＩＤ（ユーザ希望のモードＩＤ）を予め決定したアクションとモードＩＤとの関係から取得する（ステップＳ２２）。
【００４７】
続いて、デバイスで設定されている現在の通信モードのモードＩＤと、ステップＳ２２で取得した希望のユーザＩＤとが一致しているか否かを判別する（ステップＳ２４）。そして、現在のモードＩＤと希望のモードＩＤとが一致する場合には、ホスト・デバイス間ではデバイスの現在の通信モードでユーザのアクションに基づくデータ通信等が行われる（ステップＳ２６）。
【００４８】
一方、現在のモードＩＤと希望のモードＩＤとが一致しない場合には、ホストは、デバイスの現在の通信モードをユーザ希望の通信モードに変更させるための切替コマンドをデバイスに送信し、バスリセット、コンフィグレーションのやり直しを行う（ステップＳ２８、Ｓ３０、Ｓ３２）。これを受けたデバイスは、現在の通信モードを希望の通信モードに切り替えるプロトコル変換を行ったのち、ステップＳ２４に戻る（ステップＳ３４）。
【００４９】
ステップＳ３４でのプロトコル変換によりデバイスの現在の通信モードがユーザ希望の通信モードに切り替えられると、ホストはデバイスの通信モードがユーザ希望の通信モードになったことをステップＳ２４で確認し、その後、デバイスとの間でユーザ希望の通信モードによるデータ通信が可能になる（ステップＳ２６）。
【００５０】
尚、図４のステップＳ２０でアクションを待っているときに、ホスト・デバイスに共通しないモード特有のアクションがあった場合には、エラーメッセージの表示を行い、他のアクションを促すことが好ましい。
【００５１】
また、本システムに係るデバイスとしてはデジタルカメラに限らず、スキャナー、複写機、プリンタ及びプリンタと複写機の複合機等の他のデバイスにも適用でき、本システムに係るホストとしてはＰＣに限らず、プリンタ、サーバ、キオスク端末などにも適用できる。更に、デバイス・ホスト間で受け渡される情報としては、画像に限らず、音楽、その他の情報でもよい。
【００５２】
更にまた、デバイス・ホスト間の通信インタフェースとしては、ＵＳＢに限らず、ＩＥＥＥ１３９４なども適用でき、また、有線に限らず、無線による通信インターフェースでもよい。
【００５３】
【発明の効果】
以上説明したように本発明によれば、ホスト又はデバイスでのアクションに応じてホストからデバイスに送信される切替コマンドによりデバイスの現在の通信モードを、そのデバイスで設定されるべきユーザ希望の通信モードに自動的に切り替えるようにしたため、デバイスの通信モードの状態やモード切替えをユーザが意識することなく、デバイスのモード切替えをホストが自動で行うことができる。これにより、デバイスでのユーザによる面倒なモード切替操作が不要となり、ユーザのモード切替えの負担をなくすことができる。
【図面の簡単な説明】
【図１】本発明に係る情報送受信システムの実施の形態を示す概略図
【図２】図１に示したデジタルカメラの内部構成を示すブロック図
【図３】図１に示したパーソナルコンピュータの内部構成を示すブロック図
【図４】本発明に係る情報送受信システムの作用を説明するために用いたフローチャート
【符号の説明】
１００…デジタルカメラ、１１４…液晶モニタ、１１６…転送ボタン、１３２…メモリカード、１４６…ＵＳＢコネクタ、１４８…ＵＳＢインターフェース、１５０、２１２…ＣＰＵ、１５２…システムメモリ、２００…パーソナルコンピュータ（ＰＣ）、２１４…主メモリ、２１６…ハードディスク装置、２３０…モニタ装置、２４０…キーボード、２５０…マウス、２７０…インターフェース、３００…ＵＳＢケーブル
【図１】
2004310400.tif 000003
【図２】
2004310400.tif 000004
【図３】
2004310400.tif 000005
【図４】
2004310400.tif 000006